(57)【要約】【課題】導電性シートを廃止することができ、それにより、部品点数や組立工数を減らして、生産効率の向上とコストダウンを図れるようにしたシールド電線および該シールド電線の端末シールド構造を提供すること。【解決手段】シールド電線１は、内部の複数の被覆電線２の外側を中空筒状のシールド箔３で包囲し、該シールド箔３の外側を絶縁性の外部被覆６で覆ったものである。該シールド箔３の少なくともシールド電線１の端末部に位置する部分には、該部分の周方向の引き延ばしを許容して拡径可能とする多数の切り込み４が設けられている。シールド箔３は、銅箔、アルミニウム箔、等といった導電性金属製の箔である。【選択図】図１Ａ
2010140875.tif 000002
【特許請求の範囲】
【請求項１】
内部の被覆電線の外側を中空筒状のシールド箔で包囲し、該シールド箔の外側を絶縁性の外部被覆で覆ったシールド電線であって、
前記シールド箔の少なくとも前記シールド電線の端末部に位置する部分に、該部分の周方向の引き延ばしを許容して拡径可能とする多数の切り込みが形成されていることを特徴とするシールド電線。
【請求項２】
前記切り込みが設けられた前記シールド箔を、前記切り込みの位置がずれるようにして少なくとも２層重ねて設けたことを特徴とする請求項１に記載したシールド電線。
【請求項３】
請求項１または請求項２に記載したシールド電線の前記端末部の外部被覆を取り除き、それにより露出した前記シールド箔の部分を周方向に引き延ばして拡径すると共に、前記シールド箔の拡径した部分の内側の前記被覆電線をコネクタに接続し、そして当該拡径した部分の端部を前記コネクタの電線導出部のシールド部材にまで延ばして接続することにより、前記被覆電線を前記シールド箔で覆ったことを特徴とするシールド電線の端末シールド構造。
【請求項４】
前記外部被覆を取り除いて露出させた前記シールド箔の部分を折り返して二重に重ね合わせた状態で拡径し、当該二重に重ね合わせた状態で拡径した部分の端部を、前記コネクタの電線導出部のシールド部材にまで延ばして接続することにより、前記被覆電線を前記シールド箔で覆ったことを特徴とする請求項３に記載したシールド電線の端末シールド構造。
【発明の詳細な説明】
【技術分野】
【０００１】
本発明は、シールド導体として中空筒状のシールド箔を使用しているシールド電線、および、そのシールド電線をコネクタに接続した際のシールド電線の端末部のシールド構造に関する。
【背景技術】
【０００２】
内部の被覆電線の外側を筒状のシールド箔で包囲し、そのシールド箔の外側を絶縁性の外部被覆で覆った構造のシールド電線をコネクタに接続する場合、シールド電線の端末部の外部被覆とシールド箔を適当な長さ取り除いて、内部の被覆電線を露出させ、その露出させた導体の先端部をコネクタに接続している。
【０００３】
その際、シールド箔を取り除いて、内部の被覆電線を露出させた部分が、コネクタ側のシールドシェル（シールド部材）からのシールド保護を受けられない場合は、そのままシールド箔を延長しても、シールド箔より寸法の大きなコネクタ側のシールドシェルに被せることができないので、シールド箔とコネクタ側のシールドシェルとの間のシールド不在部分に、別のシールド導体を被せて、露出した被覆電線部分をシールドするようにしている。
【０００４】
図６は、その場合の例として、特許文献１に記載されたシールド構造を示している。図において、１０１はシールド電線、１０２は内部の被覆電線、１０３はシールド電線１０１の端末部の外部被覆を取り除いて露出させたシールド箔、１１０はコネクタ、１０８はシールド箔１０３とコネクタ１１０の間に被せた導電性シートであり、この導電性シート１０８により露出した被覆電線１０２の部分を覆っている。
【０００５】
【特許文献１】特開２００３−１９８１７８号公報
【発明の開示】
【発明が解決しようとする課題】
【０００６】
ところで、このようにシールド電線の端末部をシールドする場合、シールド電線１０１やコネクタ１１０とは別に用意した導電性シート１０８を用いる必要があるため、それだけ部品点数や組立工数が増えてしまい、生産効率が低下しコストアップになる。
【０００７】
本発明は、上述した事情に鑑みてなされたものであり、その目的は、導電性シートを廃止することができ、それにより、部品点数や組立工数を減らして、生産効率の向上とコストダウンを図れるようにしたシールド電線および該シールド電線の端末シールド構造を提供することにある。
【課題を解決するための手段】
【０００８】
前述した目的を達成するために、本発明に係るシールド電線は、下記（１）および（２）を特徴としている。
（１）  内部の被覆電線の外側を中空筒状のシールド箔で包囲し、該シールド箔の外側を絶縁性の外部被覆で覆ったシールド電線であって、
前記シールド箔の少なくとも前記シールド電線の端末部に位置する部分に、該部分の周方向の引き延ばしを許容して拡径可能とする多数の切り込みが形成されていること。
（２）  上記（１）の構成のシールド電線において、
前記切り込みが設けられた前記シールド箔を、前記切り込みの位置がずれるようにして少なくとも２層重ねて設けたこと。
【０００９】
上記（１）の構成のシールド電線によれば、シールド箔の少なくとも端末部に、シールド箔を周方向に引き延ばし可能とすることで拡径可能とする多数の切り込みを設けたので、コネクタ側のシールド部材の寸法に合わせて径を自由に拡大することができる。従って、従来のように別に用意した導電性シートを用いないでも、シールド電線自体の端末部のシールド箔を取り去らずに残しておき、その部分を拡径させて、コネクタ側のシールド部材まで延ばして接続することにより、シールド電線の端末部にて露出した被覆電線をシールドすることができる。このように導電性シートを用いないで済むため、部品点数や組立工数を減らすことができて、生産効率の向上とコストダウンを図ることができる。
上記（２）の構成のシールド電線によれば、切り込みを設けたシールド箔を、切り込みの位置がずれるようにして２層以上重ねて設けているので、シールド箔を拡径した際に拡がる切り込み部分を別の層のシールド箔で塞ぐことができ、高いシールド性能を発揮することができる。
【００１０】
また、上述した目的を達成するために、本発明に係るシールド電線の端末シールド構造は、下記（３）および（４）を特徴としている。
（３）  上記（１）または（２）の構成のシールド電線の前記端末部の外部被覆を取り除き、それにより露出した前記シールド箔の部分を周方向に引き延ばして拡径すると共に、前記シールド箔の拡径した部分の内側の前記被覆電線をコネクタに接続し、そして当該拡径した部分の端部を前記コネクタの電線導出部のシールド部材にまで延ばして接続することにより、前記被覆電線を前記シールド箔で覆ったこと。
（４）  上記（３）の構成のシールド電線の端末シールド構造において、
前記外部被覆を取り除いて露出させた前記シールド箔の部分を折り返して二重に重ね合わせた状態で拡径し、当該二重に重ね合わせた状態で拡径した部分の端部を、前記コネクタの電線導出部のシールド部材にまで延ばして接続することにより、前記被覆電線を前記シールド箔で覆ったこと。
【００１１】
上記（３）の構成のシールド電線の端末シールド構造によれば、外部被覆を取り除いて露出させたシールド箔を拡径させ、内側の被覆電線をコネクタに接続し、拡径したシールド箔の端部をコネクタ側のシールド部材にまで延ばして接続することにより、従来のように別に用意した導電性シートを用いないでも、シールド電線の端末部にて露出した被覆電線をシールドすることができる。従って、部品点数や組立工数を減らすことができて、生産効率の向上とコストダウンを図ることができる。
上記（４）の構成のシールド電線の端末シールド構造によれば、シールド箔を二重に重ね合わせた状態で拡径させるので、シールド箔を拡径した際に拡がる切り込み部分を、重ね合わせた別のシールド箔で塞ぐことができ、高いシールド性能を発揮することができる。
【発明の効果】
【００１２】
本発明によれば、シールド電線自体に備わっているシールド箔を拡径させることによって、コネクタとの接続部までシールドすることができるので、従来のように別に用意した導電性シートを用いずに済み、部品点数や組立工数を減らすことができて、生産効率の向上とコストダウンを図ることができる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。
【００１５】
図１Ａおよび図１Ｂは実施形態のシールド電線の端末部とコネクタの接続部分の構成を示す図であって、図１Ａは外観斜視図、そして図１Ｂはシールド箔の一部を切り欠いて示す平面図である。図２Ａおよび図２Ｂはシールド箔だけを取り出して示した図であって、図２Ａは拡径前の状態を示す図、そして図２Ｂはコネクタ側のシールドシェルに合わせて寸法を拡大させた状態を示す図である。
【００１６】
また、図３Ａはシールド構造の作製の初期段階を示す模式図、そして図３Ｂはシールド構造の作製の最終段階を示す模式図である。また、図４Ａはシールド電線の構造を説明するための断面図、図４Ｂはシールド電線の構造の第１変更例を説明するための断面図、そして図４Ｃはシールド電線の構造の第２変更例を説明するための断面図である。
【００１７】
この実施形態のシールド電線１は、内部の複数の被覆電線２の外側を中空筒状のシールド箔３で包囲し、該シールド箔３の外側を絶縁性の外部被覆６で覆ったもので、該シールド箔３の少なくともシールド電線１の端末部に位置する部分に、該部分の周方向の引き延ばしを許容して拡径可能とする多数の切り込み４を設けたことを特徴としている。被覆電線２は、導体７（図４Ａ参照）の外周面を絶縁被覆で覆ったものである。シールド箔３は、銅箔、アルミニウム箔、等といった導電性金属製の箔である。
【００１８】
図２Ａに示すように、切り込み４は、シールド箔３の周方向と直交する長手方向に適当な長さを持つものであり、例えば、一定のピッチで周方向に配列されている。また、長手方向に（斜めに）隣接する切り込み４は、周方向に略半ピッチずつずれてジグザグ状に配列されており、しかも、長手方向に若干ラップしている。このように長手方向に隣接する切り込み４が、長手方向に若干ラップして配置されていることにより、長手方向の任意の位置で周方向に線を引いた線上に、いずれかの切り込み４が位置することになり、それによりシールド箔３が周方向に引き延ばし可能となる。
【００１９】
そして、このように、シールド箔３にプレス等の手段によって多数の切り込み４を入れることにより、シールド箔３を周方向に引き延ばせるようになるので、図２Ｂに示すように、寸法を拡大することによって、コネクタ１０側の部材まで覆えるようになる。尚、多数の切り込み４は、刃物などを用いて手作業でシールド箔３に形成してもよい。
【００２０】
このシールド電線１の端末部をコネクタ１０に接続した部分のシールド構造は、次のように構成されることになる。
【００２１】
即ち、まず、シールド電線１の端末部の外部被覆６を取り除き（図３Ａ参照）、それにより露出したシールド箔３の部分を周方向に引き延ばして拡径する。それと共に、そのシールド箔３の拡径した部分の内側の被覆電線２の導体７（図４Ａ参照）をコネクタ１０の導電性金属製のコネクタ端子（不図示）に圧着、圧接、あるいはハンダ付け等で接続した後、拡径したシールド箔３の端部を、コネクタ１０の電線導出部１１に被せた導電性金属製のシールドシェル（シールド部材）１５の筒状嵌合部１６にまで延ばして接続する（図３Ｂ参照）。こうすることにより、内部の被覆電線２をシールド箔３で覆うことができ、シールドすることができる。筒状嵌合部１６とシールド箔３とをハンダや銀ペーストなどを用いて接続することで、電気的接続を確実にすることができる。あるいは導電性粘着材などを利用してもよい。
【００２２】
従って、このシールド電線１を用いることによって、従来のように別に用意した導電性シートを用いないでも、シールド電線１自体の端末部のシールド箔３を取り去らずに残しておき、その部分を拡径させて、コネクタ１０側のシールドシェル１５まで延ばして接続することにより、シールド電線１の端末部にて露出した被覆電線２をシールドすることができ、部品点数や組立工数を減らすことができて、生産効率の向上とコストダウンを図ることができる。
【００２３】
尚、図４Ｂに示されるように、上記実施形態において中空筒状のシールド箔３の外周面に伸縮性材料膜３１を貼り付けたものを用いてもよい。例えば、ゴム、その他弾性変形する材料、等からなる伸縮性材料膜３１を設けることにより切り込み４によって拡径変形されたシールド箔３の端末部が弾性復元力を与えられることになる。この弾性復元力によってシールドシェル（シールド部材）１５の筒状嵌合部１６にシールド箔３をより強固に接続することができる。また、伸縮性材料膜３１を絶縁体とすることで、外部被覆から露出された場合に外部の導体との電気的接触を防ぐことができる。
【００２４】
尚、切り込み４が拡大することによって、その切り込み４の部分のシールド性が落ちる可能性がある。それを防ぐためには、外部被覆６を取り除いて露出させたシールド箔３を折り返して二重に重ね合わせた状態で拡径させ、その二重に重ね合わせた状態で拡径させたシールド箔３の端部を、コネクタ１０の電線導出部１１のシールドシェル１５に接続する（図４Ｃ参照）。
【００２５】
そうすれば、シールド箔３を拡径した際に拡がる切り込み４の部分を、重ね合わせた別のシールド箔３で塞ぐことができるので、高いシールド性能を発揮することができる。
【００２６】
また、シールド電線１の段階で、最初から、切り込み４を設けたシールド箔３を、切り込み４の位置がずれるようにして少なくとも２層重ねて設けておくこともできる。そうした場合は、シールド箔３を拡径した際に拡がる切り込み４の部分を、別の層のシールド箔３で塞ぐことができるので、同様に高いシールド性能を発揮することができる。
【００２７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
例えば、切り込み４の形は、例えば図５（ａ）〜（ｆ）に示すようなバリエーションから自由に選ぶことができる。図５（ａ）はＩ型の切り込み４ａ、図５（ｂ）は＋型の切り込み４ｂ、図５（ｃ）はＸ型の切り込み４ｃ、図５（ｄ）はＹ型の切り込み４ｄ、図５（ｅ）は＊型の切り込み４ｅ、そして図５（ｆ）は米字状の切り込み４ｆを示している。
【図面の簡単な説明】
【００２９】
【図１Ａ】実施形態のシールド電線の端末部とコネクタの接続部分の構成を示す外観斜視図である。
【図１Ｂ】実施形態のシールド電線の端末部とコネクタの接続部分の構成を示す図であって、シールド箔の一部を切り欠いて示す平面図である。
【図２Ａ】シールド箔だけを取り出して示した図であって、拡径前の状態を示す図である。
【図２Ｂ】シールド箔だけを取り出して示した図であって、コネクタ側のシールドシェルに合わせて寸法を拡大させた状態を示す図である。
【図３Ａ】シールド構造の作製の初期段階を示す模式図である。
【図３Ｂ】シールド構造の作製の最終段階を示す模式図である。
【図４Ａ】シールド電線の構造を説明するための断面図である。
【図４Ｂ】シールド電線の構造の第１変更例を説明するための断面図である。
【図４Ｃ】シールド電線の構造の第２変更例を説明するための断面図である。
【図５】（ａ）〜（ｆ）はシールド箔に形成した切り込みの形のバリエーションを示す図である。
【図６】従来のシールド電線の端末シールド構造を示す図である。
【符号の説明】
【００３０】
１：シールド電線
２：被覆電線
３：シールド箔
４：切り込み
６：外部被覆
１０：コネクタ
１１：電線導出部
１５：シールドシェル（シールド部材）
【図１Ａ】
2010140875.tif 000003
【図１Ｂ】
2010140875.tif 000004
【図２Ａ】
2010140875.tif 000005
【図２Ｂ】
2010140875.tif 000006
【図３Ａ】
2010140875.tif 000007
【図３Ｂ】
2010140875.tif 000008
【図４Ａ】
2010140875.tif 000009
【図４Ｂ】
2010140875.tif 000010
【図４Ｃ】
2010140875.tif 000011
【図５】
2010140875.tif 000012
【図６】
2010140875.tif 000013